(57)【特許請求の範囲】
【請求項１】
片端部を開放口とする有底筒状の外装ケースを備え、絶縁樹脂を該外装ケースの内部に充填すると共に、リード端子を有するサーミスタ素子を外装ケースの内部に挿置させて該絶縁樹脂で固着し、サーミスタ素子のリード端子と電気的に接続されるコネクタピンと、該コネクタピンが固定されるコネクタケースとより構成されるコネクタを備える温度検出用サーミスタにおいて、
外装ケースの開放口が平坦に形成され、該外装ケースの開放口がコネクタケースの平坦部に対向した状態で、コネクタケースを外装ケースの内部に充填された絶縁樹脂で開放口に固着させて外装ケースをコネクタケースで密閉すると共に、コネクタピンがコネクタケースに挿入された状態で、サーミスタ素子からコネクタまでの電気的接続部を該外装ケースの内部に封入したことを特徴とする温度検出用サーミスタ。
【請求項２】
上記コネクタピンをサーミスタ素子のリード端子と直接接続させてコネクタを備えたことを特徴とする請求項１に記載の温度検出用サーミスタ。
【発明の詳細な説明】
【０００１】
【発明の属する技術分野】
本発明は、エアコン，冷蔵庫等に使用される温度検出用サーミスタの改良に関するものである。
【０００２】
【従来の技術】
従来、エアコン，冷蔵庫等に使用される温度検出用サーミスタは、図３で示すように片端部を開放口とする有底筒状の外装ケース１０と、リード端子１１ａ，１１ｂを有するガラス封入型のサーミスタ素子１１と、絶縁被覆されたリード線１２ａ，１２ｂと、コネクタ１３とを備え、サーミスタ素子１１を外装ケース１０の内部に絶縁樹脂１４で固着することにより構成されている（例えば、実開昭５９ー１２０４３７号）。
【０００３】
この温度検出用サーミスタを組み立てるには、図４で示すようにリード線１２ａ，１２ｂをサーミスタ素子１１のリード端子１１ａ，１１ｂと半田付けで電気的に接続し、そのサーミスタ素子１１のリード端子１１ａ，１１ｂをＵ字状に軸線曲げさせてリード線１２ａ，１２ｂを外部に導出すると共に、サーミスタ素子１１を外装ケース１０の内部に挿置し、このサーミスタ素子１１を外装ケース１０の内部に充填される絶縁樹脂１４で外装ケース１０の内部に固着し、更に、コネクタピン１３ａ，１３ｂをリード線１２ａ，１２ｂの導出端にカシメ止めてコネクタケース１３ｃに挿入することによりコネクタ１３を備え付けることが行なわれている。
【０００４】
その温度検出用サーミスタでは、取付作業等の際にリード線１２ａ，１２ｂが引っ張られることによりサーミスタ素子１１のリード端子１１ａ，１１ｂとの電気的接続部やコネクタピン１３ａ，１３ｂとの電気的接続部を断線してしまう事態が生じ易い。また、外装ケース１０の開放口はリード線１２ａ，１２ｂを導出させて絶縁樹脂１４を充填しただけであるため、湿気の多い場所に設置すると、湿気が外装ケース１０の内部に侵入することによりサーミスタ素子１１の特性劣化を招く虞れがある。
【０００５】
【発明が解決しようとする課題】
本発明は、電気的接続部の断線や湿気等の侵入を簡単な構造の改良で防げ、また、取付作業等にあたっても取扱いの容易なサーミスタ素子を提供することを目的とする。
【０００６】
それに加えて、本発明は部品点数を削減できて安価なものに構成可能な温度検出用サーミスタを提供することを目的とする。
【０００７】
【課題を解決するための手段】
本発明の請求項１に係る温度検出用サーミスタにおいては、外装ケースの開放口が平坦に形成され、該外装ケースの開放口がコネクタケースの平坦部に対向した状態で、コネクタケースを外装ケースの内部に充填された絶縁樹脂で開放口に固着させて外装ケースをコネクタケースで密閉すると共に、コネクタピンがコネクタケースに挿入された状態で、サーミスタ素子からコネクタまでの電気的接続部を該外装ケースの内部に封入することにより構成されている。
【０００８】
本発明の請求項２に係る温度検出用サーミスタにおいては、コネクタピンをサーミスタ素子のリード端子と直接接続させてコネクタを備えることにより構成されている。
【０００９】
【発明の実施の形態】
以下、図１，２を参照して説明すると、図１の温度検出用サーミスタはＡＢＳ系またはエポキシ系の合成樹脂から形成されて片端部を平坦な開放口とする有底筒状の外装ケース１と、リード端子２ａ，２ｂを有するガラス封入ダイオード型のＮＴＣサーミスタ素子２と、防水型のコネクタ３とを備え、サーミスタ素子２を外装ケース１の内部に充填されるエポキシ樹脂系等の絶縁樹脂４で固着すると共に、外装ケース１の平坦な開放口をコネクタケース３ａの平坦部に対向した状態で、コネクタケース３ａを外装ケース１の開放口に該絶縁樹脂４で固着させて外装ケース１をコネクタケース３ａで密閉することにより構成されている。
【００１０】
この温度検出用サーミスタを組み立てるには、図２で示すようにサーミスタ素子２のリード端子２ａ，２ｂをＵ字状に軸線曲げし、まず、コネクタピン３ｂ，３ｃをリード端子２ａ，２ｂにカシメ止めてコネクタケース３ａに挿入した状態で、コネクタ３をサーミスタ素子２のリード端子２ａ，２ｂと電気的に直接接続する。次に、絶縁樹脂４を予め充填した外装ケース１の内部にサーミスタ素子２を挿置すると共に、コネクタケース３ａを外装ケース１の開放口に該絶縁樹脂４で固着すればよい。
【００１１】
このように構成する温度検出用サーミスタでは、外装ケース１の平坦な開放口をコネクタケース３ａの平坦部に対向した状態で、コネクタケース３ａを外装ケース１の内部に充填された絶縁樹脂４で開放口に固着させて外装ケース１の開放口を密閉すると共に、コネクタピン３ｂ，３ｃをコネクタケース３ａに挿入した状態で、サーミスタ素子２からコネクタ３までの電気的接続部を外装ケース１の内部に封入することにより、サーミスタ素子２のリード端子２ａ，２ｂとコネクタピン３ｂ，３ｃとの接続部が断線する事態が生じない。また、外装ケース１はコネクタケース３ａで密閉されているため、湿気の多い場所に設置しても、湿気が外装ケース１の内部に侵入するのを確実に防ぐことができる。
【００１２】
それに加えて、コネクタピン３ｂ，３ｃをサーミスタ素子２の各リード端子２ａ，２ｂと直接接続させてコネクタ３を備えるため、絶縁被覆を要するリード線を省けることにより部品点数を少なく構成することができる。また、リード線等の外装ケース１より外部に引き出されるコード類がないことから、取付作業等にあたっても容易に取り扱うことができる。
【００１３】
【発明の効果】
以上の如く、本発明の請求項１に係る温度検出用サーミスタに依れば、外装ケース１の平坦な開放口をコネクタケース３ａの平坦部に対向した状態で、コネクタケースを外装ケースの内部に充填された絶縁樹脂で開放口に固着させて外装ケースをコネクタケースで密閉すると共に、コネクタピン３ｂ，３ｃをコネクタケース３ａに挿入した状態で、サーミスタ素子からコネクタまでの電気的接続部を該外装ケースの内部に封入することから、電気的接続部の断線や湿気等の侵入を簡単な構造の改良で防げ、また、外装ケースより外部に引き出されるコード類がないことにより取付作業等にあたっても容易に取り扱うことができる。
【００１４】
本発明の請求項２に係る温度検出用サーミスタに依れば、コネクタピンをサーミスタ素子のリード端子と直接接続させてコネクタを備えることにより、絶縁被覆を要するリード線を省けて部品点数を少なく構成することができる。
【図面の簡単な説明】
【図１】  本発明に係る温度検出用サーミスタを示す断面図である。
【図２】  本発明に係る温度検出用サーミスタの組立工程を示す説明図である。
【図３】  従来例に係る温度検出用サーミスタを示す断面図である。
【図４】  従来例に係る温度検出用サーミスタの組立工程を示す説明図である。
【符号の説明】
１                      外装ケース
２                      サーミスタ素子
２ａ，２ｂ              サーミスタ素子のリード端子
３                      コネクタ
３ａ                    コネクタケース
３ｂ，３ｃ              コネクタピン
４                      絶縁樹脂
【図１】
0003937001.tif 000002
【図２】
0003937001.tif 000003
【図３】
0003937001.tif 000004
【図４】
0003937001.tif 000005